(57)【要約】【課題】作業機の取付け用の開放形の切欠部を有する高強度のリヤカバーを提供することを課題としている。【解決手段】耕耘用のロータリ４の上方に設けられたメインカバー１４の後方に上下回動自在に設けられ、作業機の取付け用の開放形の切欠部２８を備えたリヤカバー１６の上面における切欠部２８の近傍に、前後方向のリブ２９を、切欠部２８を挟んで左右に設け、該左右のリブ２９を補強部材３１で連結した。そして左右両端縁がリブ２９の内側端面と接し、切欠部２８を上方から覆うカバー３２を着脱自在に設けた。【選択図】          図３
2004329024.tif 000002
【特許請求の範囲】
【請求項１】
耕耘用のロータリ（４）の上方にメインカバー（１４）を設け、前記メインカバー（１４）の後方に上下回動自在にリヤカバー（１６）を設け、該リヤカバー（１６）に、作業機の取付け用の開放形の切欠部（２８）を設けたロータリ耕耘装置において、上記リヤカバー（１６）の上面における切欠部（２８）の近傍に、前後方向のリブ（２９）を、切欠部（２８）を挟んで左右に設け、該左右のリブ（２９）を補強部材（３１）で連結したロータリ耕耘装置のリヤカバー。
【請求項２】
左右のリブ（２９）の間に、左右両端縁がリブ（２９）の内側端面と接し、切欠部（２８）を上方から覆うカバー（３２）を着脱自在に設けた請求項１のロータリ耕耘装置のリヤカバー。
【発明の詳細な説明】
【０００１】
【発明の属する技術分野】
この発明は、トラクタ等に連結されるロータリ耕耘装置のリヤカバーに関する。
【０００２】
【従来の技術】
従来トラクタ等に連結されるロータリ耕耘装置のリヤカバーに、作業機である畦立器を取り付けるための山形の切欠部が設けられ、また畦立器を使用しない場合に上記切欠部を閉塞する着脱自在なカバーを備えたものが公知となっている（例えば特許文献１，特許文献２，特許文献３参照）。
【０００３】
【特許文献１】
特開平９−２５２６０３号公報
【特許文献１】
実開平４−２４４０２号公報
【特許文献１】
特開平１１−７５４０５号公報
【０００４】
【発明が解決しようとする課題】
しかし切欠部は上記のように山形となってるため、切欠部の頂部においてリヤカバーの前後長さが小さくなり、リヤカバーの強度が低下し、特にリヤカバーの上記切欠部の頂部においてリヤカバーの捩れ等が発生することがあるという欠点があった。
【０００５】
【課題を解決するための手段】
上記課題を解決するための本発明のロータリ耕耘装置のリヤカバーは、耕耘用のロータリ４の上方にメインカバー１４を設け、前記メインカバー１４の後方に上下回動自在にリヤカバー１６を設け、該リヤカバー１６に、リヤカバー１６側に取り付ける作業機の取付け用の開放形の切欠部２８を設けたロータリ耕耘装置において、上記リヤカバー１６の上面における切欠部２８の近傍に、前後方向のリブ２９を、切欠部２８を挟んで左右に設け、該左右のリブ２９を補強部材３１で連結したことを第１の特徴としている。
【０００６】
また左右のリブ２９の間に、左右両端縁がリブ２９の内側端面と接し、切欠部２８を上方から覆うカバー３２を着脱自在に設けたことを第２の特徴としている。
【０００７】
【発明の実施の形態】
次に本発明の１実施形態を図面に基づいて説明する。図１，図２は本発明のリヤカバーを採用したロータリ耕耘装置１の側面部分断面図及び平面図であり、トラクタ等の走行車両２の後方に３点リンクヒッチ３を介して昇降自在に連結され、上記走行車両２の走行に伴いロータリ４によって圃場の耕耘作業を行う従来公知のものとなっている。
【０００８】
上記ロータリ耕耘装置１は、走行車両２側よりＰＴＯ動力が入力されるギヤケース６からパイプフレーム７が左右に突出しており、該パイプフレーム７の一方（左）の外端部にチェーンケース８が、他方（右）の外端部にサイドフレーム９がそれぞれ一体的に設けられている。
【０００９】
そして上記サイドフレーム９とチェーンケース８の下部間には、複数の耕耘爪１１が取り付けられた爪軸１２が、チェーンケース８を介してギヤケース６より入力される駆動力によって回転駆動されるように軸支されており、この耕耘爪１１や爪軸１２等によって前述のロータリ４が構成されている。そして爪軸１２の回転駆動によってロータリ４（耕耘爪１１）が回転し、圃場の耕耘作業を行う。
【００１０】
このとき上記ロータリ４は、側面視で耕耘爪１１の先端の回転軌跡に沿った円弧状をなすメインカバー１４によって上方側が、またメインカバー１４の後端側に、上下揺動自在に取り付けられたリヤカバー１６によって後方側がそれぞれ覆われており、メインカバー１４はロータリ４による耕耘土を前方に持ち回り、耕耘時の砕土性を向上させ、リヤカバー１６は、耕耘土に押接して耕耘面の均平を行う。
【００１１】
一方上記ギヤケース６の上方部分にはトップマスト１７が取り付けられており、該トップマスト１７の前方上端側には、走行車両２側の３点リンクヒッチ３側に連結される連結部１８が設けられている。すなわち本ロータリ耕耘装置１は、上記連結部１８を介して走行車両２に連結される。
【００１２】
またトップマスト１７の後方上端側には、ハンドル１９の回転により伸縮せしめられる伸縮ロッド２０が取り付けられており、該伸縮ロッド２０の伸縮端に、アーム２１を介してギヤケース６側に上下揺動自在に支持されたツールバー２２が連結されている。
【００１３】
これによりハンドル１９の回転によってツールバー２２が上下揺動せしめられ、ツールバー２２の高さ及び前後位置が調節され、ツールバー２２に取り付けられる作業機に応じて、ツールバー２２の位置を調節することができる。
【００１４】
一方上記リヤカバー１６は、図２，図３に示されるように、薄板のプレートを母体とし、先端側にメインカバー１４側との連結用の軸２３が左右に突出して設けられ、後端部はカールして袋形状となっている。そして該軸２３をメインカバー１４側のパイプ２５に回動自在に挿入することによって、リヤカバー１６がメインカバー１４の後端側に回動自在に軸支されている。
【００１５】
一方リヤカバー１６（母体）の上面の左右には吊支用のブラケット２４が設けられており、該ブラケット２４とメインカバー１４のブラケット２６との間に吊りロッド２７が軸支して設けられている。
【００１６】
これにより前述のようにメインカバー１４に上下回動自在に軸支されたリヤカバー１６は、吊りロッド２７によって下降位置が規制された状態又は吊りロ
ッド２７に外嵌される加圧スプリング（図示せず）によって圃場面（耕耘面）側に加圧付勢された状態でメインカバー１４に吊支されている。なおリヤカバー１６の左右両側には尾輪カバーが着脱自在に設けられている。
【００１７】
上記リヤカバー１６の左右方向の略中央の後端には、図２〜図４に示されるように、略山形をなすとともに、山形の下部がリヤカバー１６の後端に位置して解放せしめられた山形の下部解放形をなす切欠部２８が設けられている。このときリヤカバー１６の上面における切欠部２８を挟んだ左右両側には、切欠部２８に近接する位置に、前後方向のリブ２９が設けられており、該左右のリブ２９の前端側がパイプ３１からなる補強部材によって連結されている。なお図５に示されるように、パイプ３１とリヤカバー１６の上面との間には所定の間隙が設けられている。
【００１８】
一方上記切欠部２８は後述するように従来公知の畦立器等の作業機を取り付けるためのものであり、通常（畦立器を取り付けない場合）は、カバー３２によって覆われている。該カバー３２は、平面視で略長方形をなし、左右両端縁にはリブ３３が上方に突出せしめられ、、このリブ３３の外側面（リヤカバー１６の左右両端縁）が、リヤカバー１６における左右のリブ２９の内側面に接して、リヤカバー１６の左右のリブ２９間に挿入されるサイズとなっている。
【００１９】
そしてカバー３２におけるリブ３３の後端側の左右には、外側方に突出するピン３４が設けられており、カバー３２は、図５に示されるように、リヤカバー１６の左右両リブ２９に形成された前方から上方にかけて解放した凹部３６に、解放部分から上記ピン３４を挿入することが可能となっている。
【００２０】
一方カバー３３の前端側には、左右両側に、左右回動自在なハンドル３７が設けられており、該ハンドル３７によってカバー３２をリヤカバー１６側に固定することが可能となっている。
【００２１】
上記ハンドル３７は、カバー３２の前端側の左右両側に設けられた上下方向のシャフト３８と、カバー３２の表面（上面）側に位置するように該シャフト３８に挿入されるレバー３９と、該レバー３９上に位置するようにシャフト３８に挿入されるゴム等の弾性部材からなるクッション４１とからなり、クッション４１の上面に座金４２を介して２つのナット４３がダブルナットとしてシャフト３８に螺合した構造となっている。
【００２２】
このときレバー３９は平面視でＬ字状をなし、屈曲部分がシャフト３８に挿入され、シャフト３８を軸心に左右回動自在となっている。そして一端側が把持部３９ａとなっている。またナット４３の締め付けによってクッション４１とレバー３９との間の摩擦力が調節され、レバー３９の回動時の回動抵抗が調節される。
【００２３】
そして上記回動抵抗に抗してレバー３９を回動させることによって、レバー３９における把持部３９ａの反対側の端部側を挿入部３９ｂとして、前述のパイプ３１とリヤカバー１６との間の間隙Ｓに挿入することが可能となっている。
【００２４】
これにより前述のようにリヤカバー１６の左右両リブ２９にピン３４を挿入してカバー３２を上記リブ２９を介してリヤカバー１６の上面において係止させ、その後カバーの下面をリヤカバー１６の上面に接触させるように倒し、ハンドル３７を回動させてレバー３９の挿入部３９ｂをパイプ３１とリヤカバー１６との間の間隙Ｓに挿入することによって、カバー３２のリヤカバー１６からの抜けが防止され、カバー３２がリヤカバー１６の上面に前後左右４点で取り付け固定され、前述の切欠部２８をリヤカバー１６の上面側から覆う。
【００２５】
なお前述のクッション４１は平面視で略円形をなし、カバー３２をリヤカバー１６に取り付けた際に、パイプ３１と弾力的に接するサイズに形成されている。これによりカバー３２とリヤカバー１６とは、カバー３２の取付け状態においてクッション４１とパイプ３１を介して互いに弾力的に押接され、カバー３２はリヤカバー１６にがた無く安定して固定され、外力によって容易に外れることや、ずれること等が防止される。
【００２６】
そしてハンドル３７を回動させ、レバー３９の挿入部３９ｂをパイプ３１とリヤカバー１６との間の間隙Ｓから抜き、ピン３４をリヤカバー１６のリブ２９の凹部３６から外すことによって、カバー３２をリヤカバー１６から取り外し、切欠部２８を裸出させることができる。
【００２７】
これにより前述のツールバー２２に例えば作業機として畦立器を取り付けることによって、上記切欠部２８を通って畦立器がリヤカバー１６の裏面側に突出するように畦立器をロータリ耕耘装置１に取り付けることができ、畦立器を取り付けた状態で、圃場内においてトラクタを前進走行させることによって、畦を整形することができる。
【００２８】
本ロータリ耕耘装置１のリヤカバー１６は、以上のように開放形の切欠部２８が設けられているが、切欠部２８の左右両側に設けられたリブ２９を連結するようにパイプ３１が設けられて補強されているため、特に切欠部２８の頂部においてリヤカバー１６の前後長さＬ１が、リヤカバー１６の前後長さＬに比較して小さくなることによる強度低下を補うことができ、カバー３２を外した状態においてもリヤカバー１６の捩れ等が防止され、リヤカバー１６の形状が安定する。
【００２９】
このときリヤカバー１６の左右のリブ２９が切欠部２８の左右綾線に近傍に位置するとともに、補強部材３１が切欠部２８の頂部近傍に位置するため、リヤカバー１６の補強が切欠部２８の周囲で行われ、補強効率が高く、リヤカバー１６は軽量で高強度となっている。
【００３０】
なおカバー３２を取り付けた場合に、カバー３２の左右両端縁（リブ３３の外側面）がリヤカバー１６のリブ２９の内側面に接するため、カバー３２もリヤカバー１６の補強を行い、畦立器等の作業機を取り付けない場合に、カバー３２を取り付けることによって、リヤカバー１６の補強効果が特に向上する。
【００３１】
これによりリヤカバー１６全体の前後長さＬを短くし、リヤカバー１６の後端に載る泥等を減少させ、リヤカバー１６の後端に泥等が載ることによりリヤカバー１６の重量が増加し、リヤカバー１６をセンサとする自動処理等の精度が低下する等の不都合を防止することができ、自動制御等の制度を向上させることができる。
【００３２】
一方上記のようにカバー３２はリヤカバー１６に取り付けられる場合、リヤカバー１６の上面側に切欠部２８を上方から覆うように取り付けられ、リヤカバー１６の裏面（均し面）側に大きく突出することが無いため、カバー３２を取り付けることによってリヤカバー１６の裏面の凹凸が増加することがなく、リヤカバー１６の裏面側への泥の付着が防止される。
【００３３】
さらにカバー３２のリヤカバー１６に対する着脱は、ピン３４とハンドル３７によってリヤカバー１６の上面側において簡単に行うことができる。このとき補強部材であるパイプ３１がリヤカバー１６の上面とともにハンドル３７の挿入部を構成するため、Ｌ型のレバー３９（挿入部３９ｂ）とともに、カバー３２の固定構造が簡単に構成されている。
【００３４】
なおカバー３２自体は略四角形という簡単な形状であるため、製造が容易であり、カバー３２のコストを下げることができる。
【００３５】
【発明の効果】
以上のように構成される本発明の構造によると、リヤカバー上面のリブと補強部材によって、開放形の切欠部を備えたリヤカバーにおいても、リヤカバーの強度を維持することができ、リヤカバーの捩れ等を防止することができるという効果がある。このとき左右のリブと補強部材が切欠部の近傍に位置するため、切欠部の周囲を補強することになり、補強効率が高いという利点もある。
【００３６】
また左右のリブの間に、左右両端縁がリブの内側端面と接し、切欠部を上方から覆うカバーを着脱自在に設けることによって、作業機を取り付けない場合に、切欠部を上方から覆うことができる他、カバー自体が補強部材として機能し、カバーの取り付けによってリヤカバーの強度を向上させることができるという利点もある。
【００３７】
このときカバーがリヤカバーの裏面（均し面）側に大きく突出することが無いため、カバーを取り付けることによってリヤカバーの裏面の凹凸が増加することがなく、リヤカバーの裏面側への泥の付着を防止することができる。
【図面の簡単な説明】
【図１】ロータリ耕耘装置の側面部分断面図である。
【図２】ロータリ耕耘装置の平面図である。
【図３】カバーを取り付けた状態のリヤカバーの平面図である。
【図４】カバーを取り外した状態のリヤカバーとカバーの平面図である。
【図５】リヤカバーの要部部分断面図である。
【符号の説明】
４      ロータリ
１４    メインカバー
１６    リヤカバー
２８    切欠部
２９    リブ
３１    パイプ（補強部材）
３２    カバー
【図１】
2004329024.tif 000003
【図２】
2004329024.tif 000004
【図３】
2004329024.tif 000005
【図４】
2004329024.tif 000006
【図５】
2004329024.tif 000007